(57)【要約】【課題】家庭用救急絆創膏におけるシート状固定材と皮膚との接着力の確保とアルギン酸塩を施した創当てパッドでの湿潤状態の維持との両方が行なえるようにし、アルギン酸塩をゲル化させて湿潤状態で体液成分中に含まれる治癒成分で創傷の治癒が促進されるようにする。【解決手段】片面に粘着層を有して不織布からなる通気性のあるシート状固定材４と創当てパッド４との間に、防水性フィルム５を介在させた。【選択図】図２
2008043421.tif 000002
【特許請求の範囲】
【請求項１】
片面に粘着層を有して不織布からなる通気性のあるシート状固定材と創当てパッドとからなり、前記創当てパッドのシート状固定材側の面に防水性フィルムが位置していることを特徴とする救急絆創膏。
【発明の詳細な説明】
【技術分野】
【０００１】
本発明は救急絆創膏に関するものである。
【背景技術】
【０００２】
従来から一般家庭などで常備される救急絆創膏は、フィルムからなり片面を粘着層としたシート状固定材の前記粘着層側の中央部分に、ガーゼからなる創当てパッドを配置していて、創傷部分に創当てパッドを当てがいながらシート状固定材を皮膚に貼り付けるようにして使用されるものであり、創傷を外部から保護するようにしているものであった（例えば、特許文献１参照）。
【特許文献１】特開２００２−０１７８４４号公報
【発明の開示】
【発明が解決しようとする課題】
【０００３】
ところで傷を負うと創傷の部分から体液が出るが、この体液自体にその創傷を治す成分が多く含まれていて、体液が創傷面を覆っている状態を保つようにして人体が持つ治癒力を積極的に利用して治癒を図ることも、医療機関での治療の一手法として行なわれるようになってきている。
このようなことから一般家庭などで常備される救急絆創膏で対応できる創傷に対しても、滲み出る体液による湿潤状態を維持することで、創傷部分の治癒を早めたり治癒後の傷痕をきれいなものにすることが期待できる。
そして、上述したように一般家庭で常備される救急絆創膏ではシート状固定材が通気性を備えないため、創当てパッドを当てがった部分を湿潤状態に保つことが可能となっている。しかし、現状においては、創傷部分以外の健康な皮膚にもこの通気性のないシート状固定材を直接貼り付けているため、健康な皮膚から出る汗が気化し難くなって汗のままで存在し、これによってシート状固定材の接着力が早期に低下して皮膚から離れ易く、さらにはシート状固定材が皮膚に貼り付かないため、創当てパッド自体も創傷の部分からずれたりして湿潤状態が維持されなくなるという問題がある。
【０００４】
この対策として医療機関などにおいて人の創傷の部分に薬剤などを固定させるために用いられている不織布からなり通気性のある固定材を上記シート状固定材として採用することが考えられる。しかし、シート状固定材全体が通気性を備えることとなるため、創当てパッドを当てがった創傷部分でも乾燥が進み易く、湿潤状態を保った人体治癒力の有効に利用できないという問題が生じる。
そこで本発明は上記事情に鑑み、家庭用の救急絆創膏におけるシート状固定材と皮膚との接着力の確保と創当てパッドを当てがった創傷部分の湿潤状態の維持との両方が行なえるようにすることを課題とし、救急絆創膏を用いて創傷部分を湿潤状態にして体液成分中に含まれる治癒成分で創傷の治癒が促進されるようにすることを目的とする。
【課題を解決するための手段】
【０００５】
本発明は上記課題を考慮してなされたもので、片面に粘着層を有して不織布からなる通気性のあるシート状固定材と創当てパッドとからなり、前記創当てパッドのシート状固定材側の面に防水性フィルムが位置していることを特徴とする救急絆創膏を提供して、上記課題を解消するものである。
【発明の効果】
【０００６】
本発明によれば、創当てパットの部分に防水性フィルムが介在しているため、シート状固定材を通して水分が外部に逃げることがなく、創当てパッドが当てがわれている部分が創傷から滲出した体液によって湿潤した状態が継続され易くなる。そして、シート状固定材自体は通気性を有するため、健康な皮膚からの汗の蒸散がこのシート状固定材を通して行なわれてシート状固定材とこれが直接接着している皮膚と接着力が損なわれない。
また、創傷部分が治りかけるとき、滲出した体液の固化により創傷の部分と創当てパッドとが固着してしまうことがあるが、創当てパッドとシート状固定材との間に介在する防水性フィルムの前記創当てパッドに対する接合度合いやシート状固定材に対する接合度合いを救急絆創膏の取り外しに際して固着した創傷に創当てパッドが残るように調整することが可能となり、シート状固定材を取り外しても治りかけた創傷の部分に創当てパッドが残る構成を実施し易くなるなど、実用性に優れた効果を奏する。
【発明を実施するための最良の形態】
【０００７】
つぎに本発明を図示の実施の形態に基づいて詳細に説明する。
図中１は救急絆創膏で、該救急絆創膏１はシート状固定材２とこのシート状固定材２の片面に形成された粘着層３の側に配置された創当てパッド４とからなるものである。前記シート状固定材２自体は従来の救急絆創膏で採用されているフィルムからなるものではなく、柔軟で通気性に富む不織布からなるものであって、前記粘着層３が片面に形成されていても十分なる通気性を有するものとなっている。さらに創当てパッド４にあっては、シート状固定材２の接着層３がある側の中央に位置するように所定の大きさに成形されたレーヨン不織布に対して、創傷部分から滲出液（体液）によりゲル状となって湿潤状態となるゲル化物質を含ませてなるものである。なお、この創当てパッドは前記レーヨン不織布に限定されるものではなく、通常の救急絆創膏の創当てパッドとして採用される素材が十分に利用できる。また、ゲル化物質としては例えば、ＣＭＣ（カルボキシメチルセルロース）や保水力に優れるヒアルロン酸などが使用できる。
【０００８】
そして、本発明においては上記シート状固定材２と創当てパッド４との間に防水性フィルム５が介在しているものであり、創当てパッド４を創傷に当てるようにしてこの救急絆創膏１を使用したときは、上述したように創当てパッド４のゲル化物質は創傷から浸出した体液を吸収してゲル化して創当てパッド４が湿潤状態となり、前記防水性フィルム５が存在しているため、シート状固定材２を通して水分が外部に放散されることがなく、よって、創当てパッド４の湿潤状態が維持され易くなる。勿論、創当てパッド４にゲル化物質が施されていない場合でも前記防水性フィルム５の存在によって、滲み出た体液からの水分の蒸散が抑えられるため、創傷部分の湿潤状態は十分に維持される。
また、シート状固定材２と健康な皮膚との接着部分にあってはシート状固定材２自体に通気性があるために乾燥し易く、仮に滲出液の一部が前記接着部分の領域まで広がったとしても早期に乾燥してシート状固定材２と健康な皮膚との接着力が低下しないようになり、創当てパッド４の位置がずれないため、これによっても創傷部分を湿潤状態に適正に保つことができる。
【０００９】
なお、上記実施の例において、上記防水性フィルム５は創当てパッド４に熱融着され、シート状固定材２には上記粘着層３によって貼着されているが、使用している救急絆創膏１の取り外しに際して創当てパッド４にシート状固定材２から剥離させる方向での引張力が加わったときに、創当てパッド４が創傷の部分に残るように、防水性フィルム５の創当てパッド４に対する接合度合いやシート状固定材２の粘着層３に対する接合度合いを防水性フィルム５の素材の選択などで調整することが可能である。上述したように創傷が治りかけているときに滲出した体液の固化によって創傷と創当てパッドとが固着してしまうことがあるが、防水性フィルム５の位置でシート状固定材２から別れて創当てパッド４が創傷の部分に残るようにしたり、防水性フィルム５とともにシート状固定材２から別れて創傷の部分に残るようにすれば、治りかけた創傷を傷めることがない。
【図面の簡単な説明】
【００１０】
【図１】本発明に係る救急絆創膏の一例を示す説明図である。
【図２】一例の断面を概略的に示す説明図である。
【符号の説明】
【００１１】
１…救急絆創膏
２…シート状固定材
３…粘着層
４…創当てパッド
５…防水性フィルム
【図１】
2008043421.tif 000003
【図２】
2008043421.tif 000004